(57)【要約】【課題】  同じ周波数帯を用いながら送電とデータ通信を同時に行い、送電中であってもＲＦＩＤなどのデータ通信が可能であり、且つ前記送電の対象となる前記通信端末が複数である場合にも、通信端末が動作する際に必要とする電力量に応じた送電が可能な通信装置、通信端末および通信システムを提供すること。【解決手段】  通信装置１００は、電磁波を送受信する第１のアンテナ１と、通信端末１０１に受電を指示する送信制御回路６と、電源２から入力されるＤＣ電力をＡＣ電力に変換するＤＣ／ＡＣ回路５と、通信端末１０１が返信する必要な電力量の情報に応じてＤＣ／ＡＣ回路５から出力される交流波の振幅を変調する受信制御回路４と、第１のアンテナ１のインピーダンス値を検出するインピーダンス検出回路３を備え、送電の伝送波にデータ通信の信号を用いて振幅変調を行うことで、同じ周波数帯を用いて送電とデータ通信を同時に行い、インピーダンス値に応じて第１のアンテナ１に発生する電磁波の強度を制御する。【選択図】図２
2010284066.tif 000002
【特許請求の範囲】
【請求項１】
電磁誘導により非接触で受電およびデータ通信を行う通信端末に、前記電磁誘導により非接触で送電および前記データ通信を行う通信装置であって、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナのインピーダンス値を検出するインピーダンス検出手段を備え、前記送電の伝送波に前記データ通信の信号を用いて振幅変調を行うことで、同じ周波数帯を用いて前記送電と前記データ通信を同時に行い、前記インピーダンス値に応じて前記第１のアンテナに発生する電磁波の強度を制御することを特徴とする通信装置。
【請求項２】
電磁誘導により非接触で受電およびデータ通信を行う通信端末に、前記電磁誘導により非接触で送電および前記データ通信を行う通信装置であって、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナの電圧値を検出する電圧検出手段を備え、前記送電の伝送波に前記データ通信の信号を用いて振幅変調を行うことで、同じ周波数帯を用いて前記送電と前記データ通信を同時に行い、前記電圧値の変化に応じて前記第１のアンテナに発生する電磁波の強度を制御することを特徴とする通信装置。
【請求項３】
電磁誘導により非接触で送電およびデータ通信を行う通信装置と、前記電磁誘導により非接触で受電および前記データ通信を行う通信端末を有し、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナのインピーダンス値を検出するインピーダンス検出手段を備え、前記通信端末は、前記第１のアンテナと前記電磁誘導により結合する第２のアンテナと、前記受電および前記データ通信の信号を制御する第２の受信制御手段と、前記受電したＡＣ電力をＤＣ電力に変換するＡＣ／ＤＣ変換手段と、前記受信した前記データ通信の信号に対する応答を制御する送信制御手段を備え、前記送電の伝送波に前記データ通信の信号を用いて振幅変調を行うことで、同じ周波数帯を用いて前記送電と前記データ通信を同時に行い、前記インピーダンス値に応じて、前記第１のアンテナに発生する電磁波の強度を制御することを特徴とする通信システム。
【請求項４】
電磁誘導により非接触で送電およびデータ通信を行う通信装置と、前記電磁誘導により非接触で受電および前記データ通信を行う通信端末を有し、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナの電圧値を検出する電圧検出手段を備え、前記通信端末は、前記第１のアンテナと前記電磁誘導により結合する第２のアンテナと、前記受電および前記データ通信の信号を制御する第２の受信制御手段と、前記受電したＡＣ電力をＤＣ電力に変換するＡＣ／ＤＣ変換手段と、前記受信した前記データ通信の信号に対する応答を制御する送信制御手段を備え、前記送電の伝送波に前記データ通信の信号を用いて振幅変調を行うことで、同じ周波数帯を用いて前記送電と前記データ通信を同時に行い、前記電圧値の変化に応じて前記第１のアンテナに発生する電磁波の強度を制御することを特徴とする通信システム。
【請求項５】
電磁誘導により非接触で受電およびデータ通信を行う通信端末に、前記電磁誘導により非接触で送電および前記データ通信を行う通信装置であって、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナに発生する電磁波の強度を検出する第３のアンテナと、前記第３のアンテナの電圧値を検出する電圧検出手段を備え、前記送電の伝送波に前記データ通信の信号を用いて振幅変調を行うことで、同じ周波数帯を用いて前記送電と前記データ通信を同時に行い、前記第３のアンテナの電圧値の変化に応じて前記第１のアンテナに発生する電磁波の強度を制御することを特徴とする通信装置。
【請求項６】
電磁誘導により非接触で送電およびデータ通信を行う通信装置と、前記電磁誘導により非接触で受電および前記データ通信を行う通信端末を有し、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナに発生する電磁波の強度を検出する第３のアンテナと、前記第３のアンテナの電圧値を検出する電圧検出手段を備え、前記通信端末は、前記第１のアンテナと前記電磁誘導により結合する第２のアンテナと、前記受電および前記データ通信の前記電磁波を前記ＤＣ電力に変換するＡＣ／ＤＣ変換手段と、前記ＤＣ電力および前記データ通信の信号を制御する第２の受信制御手段を備え、前記送電の伝送波に前記データ通信の信号を用いて振幅変調を行うことで、同じ周波数帯を用いて前記送電と前記データ通信を同時に行い、前記第３のアンテナの電圧値の変化に応じて前記第１のアンテナに発生する電磁波の強度を制御することを特徴とする通信システム。
【請求項７】
請求項２、４、６のいずれかに記載の通信システムに用いる通信端末であって、前記ＤＣ電力を蓄える蓄電部品を備えることを特徴とする通信端末。
【発明の詳細な説明】
【技術分野】
【０００１】
本発明は、アンテナを兼用して非接触で通信と電力伝送を同時に行う通信装置、通信端末および通信システムに係り、特に携帯電話、ヘッドセット、デジタルカメラ、デジタルビデオ等の携帯機器に好適な通信装置、通信端末および通信システムに関する。
【背景技術】
【０００２】
電磁誘導を利用した非接触電力伝送においては、送電側と受電側間の電力伝送波にデータ通信の信号を用いてＡＭ変調を行うことで、同じ周波数帯を用いながら送電とデータ通信を同時に行うことが可能であり、非接触型ＩＣカード等の非常に小さな電力で動作する機器においては実用化されている。
【０００３】
しかしながら、携帯電話やデジタルカメラ等の携帯機器においても非接触電力伝送の要望は大きく、特に電力のみならず、携帯機器が備えるＲＦＩＤなどの通信機能を阻害することなく、それらの機器に少なくとも数Ｗ以上の電力を供給することが必要である。
【０００４】
一方、非接触電力伝送を行う通信装置において、小型化や低コスト化を目的として、データ通信用と電力伝送用のアンテナを兼用する構成が提案されている。
【０００５】
特許文献１には、磁界を介して近接通信を行うリーダライタと携帯端末から構成される通信システムにおいて、リーダライタは、携帯端末に充電を指示する充電コマンドを送信し、携帯端末は、受信した充電コマンドに対して内部のバッテリの充電に必要な充電時間を示す充電時間情報を含むレスポンスをリーダライタに送信し、リーダライタは、受信したレスポンスに含まれる充電時間に応じて出力抵抗の抵抗値を下げることにより、発生する磁界の強さを強くし、携帯端末は、充電時間に応じてアンテナの入力抵抗を下げ、磁界から得られる電力をバッテリに供給する通信システムが開示されている。
【先行技術文献】
【特許文献】
【０００６】
【特許文献１】特開２００８―１１３５１９号公報
【発明の概要】
【発明が解決しようとする課題】
【０００７】
図３は、特許文献１に記載の通信システムの概略を説明するブロック図である。通信装置１００と通信端末１０１を有する構成であり、通信装置１００は第１アンテナ２１、送信制御手段２２、受信制御手段２３、磁界強度制御手段２４を有し、商用電源などの電源２から動作電力が供給される。通信端末１０１は第１アンテナ２１と電磁結合する第２アンテナ２６、送信制御手段２７、受信制御手段２８、充電電流制御手段２９、蓄電池３０を有する。
【０００８】
図３の特許文献１に記載の通信システムでは、充電コマンドに対するレスポンスを受信した場合、通信装置１００の磁界強度制御手段２４により、第１アンテナ２１から送信される磁界強度を強くして充電を実行する構成である。データ通信用と電力伝送用のアンテナは兼用するが、通信端末１０１からのレスポンスには充電時間情報が含まれ、データ通信と電力伝送は個別に行われることから、充電中すなわち電力伝送中はデータ通信を行うことができないという課題がある。
【０００９】
また、図３の特許文献１に記載の通信システムでは、レスポンスの蓄電池情報に対応する充電条件を予め決定した上で充電を開始するため、充電を必要とする別の通信端末（図示せず）が追加されても、最初の通信端末１０１の充電が終了するまでは別の通信端末に対する通信も充電も行うことが出来ないという課題がある。
【００１０】
本発明は、上記従来技術の課題を解決するためになされたものであり、その目的は、電磁波により非接触で送電およびデータ通信を行う通信装置と、前記通信装置および電磁波による受電およびデータ通信を行う通信端末を有する通信システムにおいて、同じ周波数帯を用いながら送電とデータ通信を同時に行い、送電中であってもＲＦＩＤなどのデータ通信が可能であり、且つ前記送電の対象となる前記通信端末が複数である場合にも、通信端末が動作する際に必要とする電力量に応じた送電が可能な通信装置、通信端末および通信システムを提供することにある。
【課題を解決するための手段】
【００１１】
本発明によれば、電磁誘導により非接触で受電およびデータ通信を行う通信端末に、前記電磁誘導により非接触で送電および前記データ通信を行う通信装置であって、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナのインピーダンス値を検出するインピーダンス検出手段を備え、前記送電の伝送波に前記データ通信の信号を用いて振幅変調を行うことで、同じ周波数帯を用いて前記送電と前記データ通信を同時に行い、前記送電の対象となる前記通信端末が複数である場合などに変化する前記インピーダンス値に応じて、前記第１のアンテナに発生する電磁波の強度を制御することを特徴とする通信装置が得られる。
【００１２】
本発明によれば、電磁誘導により非接触で受電およびデータ通信を行う通信端末に、前記電磁誘導により非接触で送電および前記データ通信を行う通信装置であって、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナの電圧値を検出する電圧検出手段を備え、前記送電の伝送波に前記データ通信の信号を用いて振幅変調を行うことで、同じ周波数帯を用いて前記送電と前記データ通信を同時に行い、前記送電の対象となる前記通信端末が複数である場合などに前記第１のアンテナのインピーダンス値が変化することにより前記電圧値が変化し、前記電圧値の変化に応じて前記第１のアンテナに発生する電磁波の強度を制御することを特徴とする通信装置が得られる。
【００１３】
本発明によれば、電磁誘導により非接触で送電およびデータ通信を行う通信装置と、前記電磁誘導により非接触で受電および前記データ通信を行う通信端末を有し、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナのインピーダンス値を検出するインピーダンス検出手段を備え、前記通信端末は、前記第１のアンテナと前記電磁誘導により結合する第２のアンテナと、前記受電および前記データ通信の信号を制御する第２の受信制御手段と、前記受電したＡＣ電力をＤＣ電力に変換するＡＣ／ＤＣ変換手段と、前記受信した前記データ通信の信号に対する応答を制御する送信制御手段を備え、前記送電の伝送波に前記データ通信の信号を用いて振幅変調を行うことで、同じ周波数帯を用いて前記送電と前記データ通信を同時に行い、前記送電の対象となる前記通信端末が複数である場合などに変化する前記インピーダンス値に応じて、前記第１のアンテナに発生する電磁波の強度を制御することを特徴とする通信システムが得られる。
【００１４】
本発明によれば、電磁誘導により非接触で送電およびデータ通信を行う通信装置と、前記電磁誘導により非接触で受電および前記データ通信を行う通信端末を有し、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナの電圧値を検出する電圧検出手段を備え、前記通信端末は、前記第１のアンテナと前記電磁誘導により結合する第２のアンテナと、前記受電および前記データ通信の信号を制御する第２の受信制御手段と、前記受電したＡＣ電力をＤＣ電力に変換するＡＣ／ＤＣ変換手段と、前記受信した前記データ通信の信号に対する応答を制御する送信制御手段を備え、前記送電の伝送波に前記データ通信の信号を用いて振幅変調を行うことで、同じ周波数帯を用いて前記送電と前記データ通信を同時に行い、前記送電の対象となる前記通信端末が複数である場合などに前記第１のアンテナのインピーダンス値が変化することにより前記電圧値が変化し、前記電圧値の変化に応じて前記第１のアンテナに発生する電磁波の強度を制御することを特徴とする通信システムが得られる。
【００１５】
本発明によれば、電磁誘導により非接触で受電およびデータ通信を行う通信端末に、前記電磁誘導により非接触で送電および前記データ通信を行う通信装置であって、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナに発生する電磁波の強度を検出する第３のアンテナと、前記第３のアンテナの電圧値を検出する電圧検出手段を備え、前記送電の伝送波に前記データ通信の信号を用いて振幅変調を行うことで、同じ周波数帯を用いて前記送電と前記データ通信を同時に行い、前記送電の対象となる前記通信端末が複数である場合などに前記第１のアンテナのインピーダンス値が変化することにより前記第３のアンテナに発生する電圧値が変化し、前記第３のアンテナの電圧値の変化に応じて前記第１のアンテナに発生する電磁波の強度を制御することを特徴とする通信装置が得られる。
【００１６】
本発明によれば、電磁誘導により非接触で送電およびデータ通信を行う通信装置と、前記電磁誘導により非接触で受電および前記データ通信を行う通信端末を有し、前記通信装置は、電磁波を送受信する第１のアンテナと、前記通信端末との間で行う前記送電および前記データ通信を制御する第１の送信制御手段と、前記通信装置を動作させる電源から入力されるＤＣ電力をＡＣ電力に変換するＤＣ／ＡＣ変換手段と、前記送信制御手段を経て前記第１のアンテナから送信した前記データ通信の信号に対する前記通信端末からの応答により、前記ＤＣ／ＡＣ変換手段から出力される交流波の振幅を変調する第１の受信制御手段と、前記第１のアンテナに発生する電磁波の強度を検出する第３のアンテナと、前記第３のアンテナの電圧値を検出する電圧検出手段を備え、前記通信端末は、前記第１のアンテナと前記電磁誘導により結合する第２のアンテナと、前記受電および前記データ通信の前記電磁波を前記ＤＣ電力に変換するＡＣ／ＤＣ変換手段と、前記ＤＣ電力および前記データ通信の信号を制御する第２の受信制御手段を備え、前記送電の伝送波に前記データ通信の信号を用いて振幅変調を行うことで、同じ周波数帯を用いて前記送電と前記データ通信を同時に行い、前記送電の対象となる前記通信端末が複数である場合などに前記第１のアンテナのインピーダンス値が変化することにより前記第３のアンテナに発生する電圧値が変化し、前記第３のアンテナの電圧値の変化に応じて前記第１のアンテナに発生する電磁波の強度を制御することを特徴とする通信システムが得られる。
【００１７】
本発明によれば、前記通信システムに用いる通信端末であって、前記ＤＣ電力を蓄える蓄電部品を備えることを特徴とする通信端末が得られる。
【発明の効果】
【００１８】
本発明により、電磁波により非接触で送電およびデータ通信を行う通信装置と、前記通信装置および電磁波による受電およびデータ通信を行う通信端末を有する通信システムにおいて、電力伝送波にデータ通信の信号を用いてＡＭ変調を行うことで、同じ周波数帯を用いながら送電とデータ通信を同時に行い、送電中であってもＲＦＩＤなどのデータ通信が可能であり、且つデータ通信により得られた通信端末の情報に対応して通信装置の電磁波出力を制御することにより、前記送電の対象となる前記通信端末が複数である場合などに変化する前記インピーダンス値に応じて、通信端末が動作する際に必要とする電力量に応じた送電を行うことができる通信装置、通信端末および通信システムを提供することが可能となる。
【図面の簡単な説明】
【００１９】
【図１】本発明による通信装置の実施の形態を示すブロック図である。
【図２】本発明による通信システムの実施の形態を示すブロック図である。
【図３】特許文献１に記載の通信システムの概略を説明するブロック図である。
【図４】本発明による通信装置、通信端末および通信システムの、第１のアンテナのインピーダンス検出回路を説明する概略図である。
【図５】本発明による通信装置、通信端末および通信システムの、第１のアンテナの電圧検出回路を説明する概略図である。
【図６】本発明による通信装置、通信端末および通信システムの、第３のアンテナによる電圧検出回路を説明する概略図である。
【発明を実施するための形態】
【００２０】
以下、本発明の実施の形態について、図面を用いて詳細に説明する。
【００２１】
（実施の形態１）
図１は、本発明による通信装置の実施の形態を示すブロック図である。
【００２２】
図１において、通信装置１００は、電磁波を送受信する第１のアンテナ１と、図示しない通信端末に受電を指示する第１の送信制御手段すなわち送信制御回路６と、通信装置を動作させる電源２から入力されるＤＣ電力をＡＣ電力に変換するＤＣ／ＡＣ変換手段すなわちＤＣ／ＡＣ回路５と、通信端末が返信する、通信端末の動作に必要な電力量の情報に応じてＤＣ／ＡＣ回路５から出力される交流波の振幅を変調する第１の受信制御手段すなわち受信制御回路４と、前記第１のアンテナのインピーダンス値を検出するインピーダンス検出手段すなわちインピーダンス検出回路３を備え、送電の伝送波にデータ通信の信号を用いて振幅変調を行うことで、同じ周波数帯を用いて送電とデータ通信を同時に行い、インピーダンス値に応じて第１のアンテナ１に発生する電磁波の強度を制御するものである。
【００２３】
（実施の形態２）
図２は、本発明による通信システムの実施の形態を示すブロック図である。
【００２４】
図２の通信装置１００の構成は、図１と同様のため説明を省略する。
【００２５】
図２の通信端末１０１は、第１のアンテナ１と電磁誘導により結合する第２のアンテナ８と、第２のアンテナ８が受けた送電およびデータ通信の電磁波をＤＣ電力に変換するＡＣ／ＤＣ変換手段すなわちＡＣ／ＤＣ回路１０と、ＤＣ電力およびデータ通信の信号を制御する第２の受信制御手段すなわち受信制御回路１１を備える。
【００２６】
通信装置１００の送電の伝送波にデータ通信の信号を用いて振幅変調を行うことで、同じ周波数帯を用いて送電とデータ通信を同時に行い、第１のアンテナ１のインピーダンス値に応じて、第１のアンテナに発生する電磁波の強度を制御するよう構成する。
【００２７】
なお、図２の通信端末１０１では、データ通信時の送信を制御する送信制御回路９と、機器動作時の電力を供給するための蓄電池７を備える構成を例示している。
【００２８】
送信制御回路９は、通信端末１０１の種類すなわち携帯電話やヘッドセット、デジタルカメラ等の構成に応じて適宜選択すればよい。また蓄電池７も、蓄電の必要がある場合に用いればよく、ニッケル水素蓄電池、リチウムイオン蓄電池、キャパシタ等を用途に応じて適宜使用することが出来る。
【００２９】
図２では通信装置１００と通信端末１０１が１台ずつの例を示しているが、通信端末１０１が複数台となっても、本発明によれば通信装置１００から送電される電力量を適正に維持することができるため、通信装置１００に許容される出力の範囲であれば通信端末１０１の台数を限定するものではない。
【００３０】
（実施の形態３）
図４は、本発明による通信装置、通信端末および通信システムの、第１のアンテナのインピーダンス検出回路を説明する概略図である。なお、第１のアンテナ１のインピーダンス値を検出し、電源２の出力電圧を制御する機能を有する回路であればよく、本実施の形態に限定するものではない。
【００３１】
図中において、第１のアンテナ１が接続されたインピーダンス検出回路３は、抵抗５１、５２、５５と、コンデンサ５３と、ダイオード５４を有し、第１のアンテナ１に流れる交流電流を抵抗５１で交流電圧に変換し、ダイオード５４で半波整流した出力を、抵抗５２、コンデンサ５３を用いて平滑化し、抵抗５５を経て抵抗５６を介し、電源２に接続する。また、抵抗５５と抵抗５６の中点を通信装置のＤＣ／ＡＣ回路５へ入力する。電源２は、商用電源から交流電力が供給され、ＡＣ／ＤＣ回路５７によりＤＣ電圧を出力する。
【００３２】
一例として、電源２の内部にあるＡＣ／ＤＣ回路５７の出力が５Ｖで、抵抗５５と抵抗５６の比が１：１で、通信装置側から見た第１のアンテナ１のインピーダンス値が１０Ωの時、ダイオード５４を介した抵抗５２、コンデンサ５３で整流後の電圧値が１Ｖの場合に、通信装置内のＤＣ／ＡＣ回路５には３Ｖの電圧が入力される。通信端末の台数が増えて、通信装置側から見た第１のアンテナ１のインピーダンス値が２０Ωに増加すると、ダイオード５４を介した抵抗５２、コンデンサ５３で整流後の電圧値は２Ｖになり、通信装置内のＤＣ／ＡＣ回路５への入力電圧は３．５Ｖに変化する。前記ＤＣ／ＡＣ回路５の出力電圧は入力電圧に依存し、また前記第１のアンテナ１から発生する電磁波は、前記ＤＣ／ＡＣ回路５から出力される電圧に依存するため、通信装置側から見た第１のアンテナ１のインピーダンス値の変化、すなわち通信端末が必要とする電力量に応じて、通信装置の出力電力が変化する。
【００３３】
（実施の形態４）
図５は、本発明による通信装置、通信端末および通信システムの、第１のアンテナの電圧検出回路を説明する概略図である。なお、第１のアンテナ１の電圧値を検出し、電源２の出力電圧を制御する機能を有する回路であればよく、本実施の形態に限定するものではない。
【００３４】
図中において、第１のアンテナ１が接続された電圧検出回路６３は、第１のアンテナ１の両端電圧を抵抗５８、５９で分圧し、ダイオード５４で半波整流をした出力を、抵抗５２、コンデンサ５３を用いて平滑化し、抵抗５５、５６を介して電源２に接続する。また、抵抗５５と抵抗５６の中点を通信装置のＤＣ／ＡＣ回路５へ入力する。電源２は、商用電源から交流電力が供給され、ＡＣ／ＤＣ回路５７によりＤＣ電圧を出力する。抵抗５８に第１のアンテナ１に対して十分大きな抵抗（例えば、数ＭΩ）を用いることで、抵抗５８に流れる電流はほとんど無視できるため、他の回路に与える影響を最小限に抑えて第１のアンテナ１の両端電圧を検出することができる。
【００３５】
（実施の形態５）
図６は、本発明による通信装置、通信端末および通信システムの、第３のアンテナによる電圧検出回路を説明する概略図である。なお、第１のアンテナ１に発生する電磁波を受けることで第３のアンテナ６０に生ずる電圧値を検出し、電源２の出力電圧を制御する機能を有する回路であればよく、本実施の形態に限定するものではない。
【００３６】
図中において、第３のアンテナによる電圧検出回路７３は、第３のアンテナ６０の両端電圧を抵抗６１を介して電圧変換し、ダイオード５４で半波整流をした出力を、抵抗５２、コンデンサ５３を用いて平滑化し、抵抗５５、５６を介して電源２に接続する。また、抵抗５５と抵抗５６の中点を通信装置のＤＣ／ＡＣ回路５へ入力する。電源２は、商用電源から交流電力が供給され、ＡＣ／ＤＣ回路５７によりＤＣ電圧を出力する。本実施の形態では、既存の回路構成を変更することなく第１のアンテナ１に発生する電磁波の強度の変化を検出することができる。
【００３７】
（実施の形態６）
本実施の形態は、実施の形態１のインピーダンス検出回路３を、実施の形態４の電圧検出回路６３に置き換えた構成の通信装置である。構成や動作は実施の形態１および実施の形態４で説明したものと同様であるため、詳細は省略する。
【００３８】
（実施の形態７）
本実施の形態は、実施の形態２のインピーダンス検出回路３を、実施の形態４の電圧検出回路６３に置き換えた構成の通信システムである。構成や動作は実施の形態２および実施の形態４で説明したものと同様であるため、詳細は省略する。
【００３９】
（実施の形態８）
本実施の形態は、実施の形態１のインピーダンス検出回路３を、実施の形態５の第３のアンテナによる電圧検出回路７３に置き換えた構成の通信装置である。構成や動作は実施の形態１および実施の形態５で説明したものと同様であるため、詳細は省略する。
【００４０】
（実施の形態９）
本実施の形態は、実施の形態２のインピーダンス検出回路３を、実施の形態５の第３のアンテナによる電圧検出回路７３に置き換えた構成の通信システムである。構成や動作は実施の形態２および実施の形態５で説明したものと同様であるため、詳細は省略する。
【００４１】
（実施の形態１０）
本実施の形態は、実施の形態１乃至９で説明した通信装置および通信システムに適用する通信端末であり、図２の通信端末１０１が備える蓄電池７のような、ＤＣ電力を蓄える蓄電部品を有する構成である。蓄電池７は、通信端末の仕様に応じて、ニッケル水素蓄電池、リチウムイオン蓄電池、キャパシタ等を適宜使用することが出来る。通信装置および通信システムの説明は、上記各実施の形態で説明したものと同様であるため、詳細は省略する。
【符号の説明】
【００４２】
１    第１のアンテナ
２    電源
３    インピーダンス検出回路
４、１１    受信制御回路
５    ＤＣ／ＡＣ回路
６、９    送信制御回路
７、３０、３８    蓄電池
８    第２のアンテナ
１０    ＡＣ／ＤＣ回路
２１    第１アンテナ
２２、２７    送信制御手段
２３、２８    受信制御手段
２４    磁界強度制御手段
２６    第２アンテナ
２９    充電電流制御手段
３１    電源回路
３２    受信制御部
３３    １次側マイコン
３４    送信制御部
３５    １次側コイル
３６    ２次側コイル
３７    ２次側電源回路
３９    受信側制御部
４０    ２次側マイコン
４１    機器本体
５１、５２、５５、５６    抵抗
５３    コンデンサ
５４    ダイオード
５７    ＡＣ／ＤＣ回路
５８、５９、６１    抵抗
６０    第３のアンテナ
６３    電圧検出回路
７３    第３のアンテナによる電圧検出回路
１００    通信装置
１０１    通信端末
１０２    充電器
１０３    電気機器
【図１】
2010284066.tif 000003
【図２】
2010284066.tif 000004
【図３】
2010284066.tif 000005
【図４】
2010284066.tif 000006
【図５】
2010284066.tif 000007
【図６】
2010284066.tif 000008